(57)【要約】  迅速挿入ヒール要素及び迅速挿入タン要素の一方又は両方を有し、これらの要素が両方とも適合のためにスナップバックする、迅速進入及び跳ね戻り適合靴。迅速挿入靴は、使用者の足を靴開口部の中に案内する、あるいは使用者の足を該靴開口部に収容し、次いで、迅速挿入靴の後部を使用者の踵及び足前方部の周りに固定する。【選択図】  図6A
2019514641.tif 000002
【特許請求の範囲】
【請求項１】
ベース；及び
該ベースに結合された変形可能な要素を含み、該変形可能な要素が、迅速挿入靴の後部の中に埋め込まれるか、又は該後部に沿って延在し、該変形可能な要素が、圧潰形態及び非圧潰形態を有し、該圧潰形態では、該変形可能な要素が、圧縮された状態にあり、下方に曲がり、該非圧潰形態では、該変形可能な要素が、上方に向き、圧縮が減少した状態、非圧縮状態、又は部分的に曲げられた状態にある、前記迅速挿入靴。
【請求項２】
前記変形可能な要素が、前記非圧潰形態では、前記圧潰形態における第1の曲率半径よりも大きい第2の曲率半径を有する、請求項1記載の迅速挿入靴。
【請求項３】
前記変形可能な要素が、前記非圧潰形態及び前記圧潰形態の両方において、使用者の足/踵の自然な輪郭に従うように構成されている、請求項1記載の迅速挿入靴。
【請求項４】
前記変形可能な要素の第1の側が、該変形可能な要素の第2の側の第2の曲率とは異なる第1の曲率を有する、請求項1記載の迅速挿入靴。
【請求項５】
前記変形可能な要素と前記ベースとの間の係合が旋回可能でない、請求項1記載の迅速挿入靴。
【請求項６】
前記変形可能な要素と前記ベースとの間の係合に遊びがない、請求項5記載の迅速挿入靴。
【請求項７】
前記ベースがアンカー及びアンカー受容部を備え、前記変形可能な要素が該アンカーに結合され、かつ該アンカーが該アンカー受容部に結合される、請求項1記載の迅速挿入靴。
【請求項８】
前記変形可能な要素が、該変形可能な要素の撓みに影響を与えるカバーを備える、請求項1記載の迅速挿入靴。
【請求項９】
前記非圧潰形態から前記圧潰形態に移動することに応答して、前記靴の開口部が少なくとも約10％拡張する、請求項1記載の迅速挿入靴。
【請求項１０】
前記変形可能な要素の中間部分が、1重量ポンド〜10重量ポンド（0.454kgf〜4.54kgf）の非圧潰形態に向かう戻り力を示す、請求項1記載の迅速挿入靴。
【請求項１１】
前記変形可能な要素の中間部分が、前記圧潰形態から前記非圧潰形態に約1秒未満で戻る、請求項1記載の迅速挿入靴。
【請求項１２】
前記変形可能な要素に回動可能に結合されたパドルを有するヒールピースをさらに備える、請求項1記載の迅速挿入靴。
【請求項１３】
前記ヒールピースが、使用者の踵を前記迅速挿入靴の中に保持するのを容易にするように構成されたレッジを備える、請求項12記載の迅速挿入靴。
【請求項１４】
前記パドルの内側への回動が、該パドルを第2のパドルに接続する上部及び下部ネックによって防止される、請求項12記載の迅速挿入靴。
【請求項１５】
前記パドルの外側への回動が、前記ヒールピースの圧潰によって補助される、請求項14記載の迅速挿入靴。
【請求項１６】
タンフレア、横断要素、又はタン補強材のうちの1つ以上を有する迅速挿入タン要素をさらに備える、請求項1記載の迅速挿入靴。
【請求項１７】
より可撓性の高いヒール材料の圧潰を誘導するように構成された材料補強材をさらに備える、請求項1記載の迅速挿入靴。
【請求項１８】
前記ベースが、アウトソール、ミッドソール、インソール、又はウェッジのうちの1つ以上を備える、請求項1記載の迅速挿入靴。
【請求項１９】
後部；
該後部内に配置された左パドル；及び
該後部内に配置された右パドルを備える、迅速挿入靴。
【請求項２０】
前記左パドルと前記右パドルとの間を連結するブリッジをさらに備える、請求項19記載の迅速挿入靴。
【請求項２１】
変形可能な要素及びベースをさらに備え、該変形可能な要素が、該ベース及び前記左右のパドルに連結されてこれらの間に延在する、請求項20記載の迅速挿入靴。
【請求項２２】
前記ベースが、前記迅速挿入靴のフットベッドの下に配置されている、請求項21記載の迅速挿入靴。
【請求項２３】
後部に接触するように構成されたアウトソール；
該アウトソールに結合された、第1のアンカー及び第2のアンカーを有するベース；並びに
該第1のアンカー及び該第2のアンカーに回動しないように連結されてこれらの間に延在する変形可能な要素であって、非圧潰形態と圧潰形態との間で弾性的に変形するように構成されている、該変形可能な要素を備える、迅速挿入靴。
【請求項２４】
前記変形可能な要素が前記後部内に配置されている、請求項23記載の迅速挿入靴。
【請求項２５】
前記変形可能な要素に接続され、かつ前記後部内に配置された第1及び第2のパドルをさらに備える、請求項24記載の迅速挿入靴。
【請求項２６】
前記第1のパドルを前記第2のパドルに接続するブリッジをさらに備える、請求項25記載の迅速挿入靴。
【請求項２７】
前記変形可能な要素が、第1の部分及び第2の部分を備え、該第1の部分が、前記第1のアンカーと前記第1のパドルとの間に延在し、該第2の部分が、前記第2のアンカーと前記第2のパドルとの間に延在する、請求項25記載の迅速挿入靴。
【発明の詳細な説明】
【技術分野】
【０００１】
（分野）
本開示は、履物に関し、より詳細には、跳ね戻り適合システム（rebounding fit system）を備えた迅速挿入履物（rapid-entry footwear）に関する。
【背景技術】
【０００２】
（背景）
多種多様な形状、サイズ、機能、及び目的の靴が存在する。多くのタイプの靴は、脱ぐことは比較的容易であるが、このような靴を再び完全に履き直すのは容易ではないであろう。それどころか、多くの靴は、靴に靴紐を通して結ぶこと又は他の留め具を使用することなどを含む、靴を履くためのいくつかのステップを必要とし、このようなステップには、前回靴を履いた時に適切に靴紐が緩められなかった又は解かれなかった靴紐を緩めること及び/又は解くことを含み得る。加えて、多くの靴は、靴を履きやすくするために靴べらを必要とする。
【発明の概要】
【課題を解決するための手段】
【０００３】
（概要）
本明細書では、様々な実施態様によると、迅速挿入ヒール構造及び迅速挿入タン要素の一方又は両方を有する迅速挿入及び跳ね戻り適合靴が開示されており、該迅速挿入ヒール構造及び該迅速挿入タン要素は両方とも、適合のためにスナップバックする。迅速挿入靴は、使用者の足を靴開口部に案内する、あるいは使用者の足を該靴開口部に収容し、次いで、迅速挿入靴の後部を使用者の踵及び足前方部の周りに固定する。
【０００４】
本明細書で特段の記載がない限り、上記の機構及び要素は、排他的ではなく様々な組み合わせで組み合わせることができる。これらの機構及び要素並びに開示される実施態様の動作は、以下の説明及び添付図面からより明らかになるであろう。
【図面の簡単な説明】
【０００５】
（図面の簡単な説明）
添付の図面は、本開示のさらなる理解を提供するために含められ、かつ本明細書に組み込まれ、本明細書の一部を構成し、様々な実施態様を例示し、そして説明と共に、本開示の原理を説明する役割を果たす。図面では、一方の靴（左足用の靴又は右足用の靴のいずれか）のみが例示されている。例示された構造は、反対側の靴に適合するように鏡像であり得ることを理解されたい。
【図１】図1Aは、本開示の例示的な一実施態様による迅速挿入靴の側面図を例示する。図1Bは、本開示の例示的な一実施態様による迅速挿入ヒール要素を例示する。
【図２】図2A及び図2Bは、本開示の例示的な一実施態様によるアンカーを例示する。
【図３】図3A〜図3Cは、本開示の例示的な一実施態様による変形可能な要素を例示する。図3Dは、本開示の様々な実施態様による、アンカーに係合した変形可能な要素の後部断面図を例示する。
【図４】図4A〜図4Cは、本開示の例示的な一実施態様によるヒールピースを例示する。
【図５】図5は、本開示の例示的な一実施態様による迅速挿入タン要素の側面図及び平面図を例示する。
【図６】図6A〜図6Cは、本開示の例示的な一実施態様による迅速挿入靴の使用を段階的に例示する。図6D〜図6Fはそれぞれ、図6A〜6Cの背面図を例示する。
【図７】図7A〜図7Cは、本開示の別の例示的な実施態様による迅速挿入靴を例示する。
【図８】図8は、本開示の例示的な一実施態様による、ヒールカウンターに固定されたワイヤを例示し、該ヒールカウンターは、ヒールの圧潰を可能にするように成形されている。
【図９】図9A〜図9Eは、本開示の例示的な一実施態様による迅速挿入スナップバック適合タン要素の様々な図面を例示する。図9Fは、本開示の例示的な一実施態様による、使用者の足が迅速挿入靴に挿入されているときの迅速挿入スナップバック適合タン要素の図面を例示する。図9Gは、本開示の例示的な一実施態様による、使用者の足が迅速挿入靴の中にあるときの迅速挿入スナップバック適合タン要素の図面を例示する。
【発明を実施するための形態】
【０００６】
本開示の主題は、本明細書の結論部分において具体的に指摘され明確に請求される。しかしながら、本開示のより完全な理解は、図面に関連して考察されるときに詳細な説明及び特許請求の範囲を参照することによって最良に達成することができる。
【０００７】
（詳細な説明）
本明細書の様々な実施態様の詳細な説明は、例示として様々な実施態様を示す添付の図面を参照して行われる。これらの様々な実施態様は、当業者が本開示を実施することを可能にするために十分に詳細に説明されるが、本開示の精神及び範囲から逸脱することなく、他の実施態様を実現できること、並びに論理、化学、機械、及び構造の変化を行うことができることを理解されたい。従って、本明細書の詳細な説明は、限定する目的ではなく、例示のみを目的として示される。
【０００８】
例えば、方法又はプロセスの記述のいずれかで列挙されるステップは、任意の順序で実行することができ、必ずしも示される順序に限定されるものではない。さらに、単数形へのあらゆる言及は、複数の実施態様を含み、2つ以上の構成要素又はステップへのあらゆる言及は、単数の実施態様又はステップを含み得る。また、取り付けられた、固定された、接続された、又は結合されたなどへのあらゆる言及は、恒久的な（例えば、一体的な）、取り外し可能な、一時的な、部分的な、完全な、及び/又は任意の他の可能な取り付けの選択肢を含み得る。どの構成要素も、ボルト、だぼ、接着剤、縫い合わせ、溶接、はんだ付け、ろう付け、スリーブ、ブラケット、クリップ、又は当技術分野で公知若しくは以降に開発される他の方法で互いに結合することができる。加えて、非接触（又は類似の語句）へのあらゆる言及は、接触の減少又は最小限の接触も含み得る。
【０００９】
本開示は、跳ね戻り適合システムを備えた迅速挿入履物（例えば、靴）に関する。迅速挿入靴は、様々な実施態様によると、手を使わずに、かつ/又は靴紐を結ぶ際に屈まずに、靴べらを使用せずに、又は適合のための他のこのような調整機構、要素、又は機械装置を使用せずに、有利に使用者が靴を着脱すること可能にする。様々な実施態様では、迅速挿入靴は、1回限りの調整機構（例えば、使用者が迅速挿入靴を履くたびに使用することが意図されていない調整要素）を備えることができる。例えば、迅速挿入靴は、靴の購入時/初回使用時に調整することが意図されたフック・アンド・ループ型ファスナ装置（例えば、Velcro（登録商標））を備えることができる。別の実施態様では、1つ以上の変形可能な要素の長さ又は他の寸法を使用者が調節/変更し、これに応じて靴開口部の円周、緊密さ、又は他の寸法を調整/変更することができる。迅速挿入靴は、靴の容易かつ迅速な着脱を可能にし、かつ該靴を使用者の足にきつくぴったりと固定する。一部の実施態様では、迅速挿入靴は靴紐を備えていない。
【００１０】
様々な実施態様では、迅速挿入靴は、迅速挿入ヒール構造及び迅速挿入スナップバック適合タン要素の一方又は両方を備える。迅速挿入ヒール構造は、以下により詳細に説明されるように、1つ以上のアンカー、変形可能な要素、及び/又はヒールピースを備えることができ、一方、迅速挿入タン要素は、1つ以上のタンフレア横断要素及び/又はタン補強材を備えることができる。本開示に関連して使用されるさらなる要素及び機構が開示される。例示的な実施態様による迅速挿入靴は、使用者の足を靴開口部に容易に入れる若しくは案内する、あるいは使用者の足を該靴開口部に収容する。本明細書で開示される迅速挿入靴は、使用者の足が靴開口部に進入するときに圧潰することができ、次いで、圧潰形態から非圧潰形態に跳ね戻り、これにより、迅速挿入靴の後部が使用者の踵、クォーターパネル（quarter panel）、及び/又は足の甲の周りに固定される。
【００１１】
迅速挿入靴の例示された実施態様の議論では、特定の方向の単語を使用することができる。例として、「右」、「左」、「前」、「後」、「前方」、「後方（backward）」、「後方（rearward）」、「上側」、「下側」、「上」、及び「下」などの語を使用して、迅速挿入靴の実施態様を説明することができる。これらの語には、迅速挿入靴が使用者の足に装着されて、該使用者の靴を履いた足が支持構造面に配置された、又は該支持構造面への配置の準備ができた状態で、迅速挿入靴が使用のために最も一般的に設計される方法に従って意味が与えられるべきである。従って、これらの方向は、このような使用における迅速挿入靴に関連して理解することができる。同様に、迅速挿入靴は、主として履物としての使用が意図されているため、「内部」、「内側」、「外部」、「外側」、「最内部」、「最外部」、「内側」、「外側」などの語は、迅速挿入靴がその本来の目的で使用されているときに、内部、内側、及び最内部などが使用者の足に比較的近いことを示し、かつ外部、外側、及び最外部などが、該使用者の足から比較的遠いことを示すように、該迅速挿入靴の目的の使用に関連して理解されるべきである。上記にもかかわらず、前述の定義上の指針が、本明細書での前述の用語のいずれかの個々の使用に矛盾している場合は、その用語は、該用語の特定の例に命及び意味を与える定義に従って理解され、読み取られるべきである。
【００１２】
ここで図1Aを参照すると、上述されたように、本開示の例示的な実施態様は、迅速挿入靴100を含む。迅速挿入靴100は、カジュアルタイプの靴として図面に示されているが、該迅速挿入靴は、フォーマルな靴、ドレスシューズ、ハイヒール、スポーツシューズ/運動靴（例えば、テニスシューズ、ゴルフシューズ、ボーリングシューズ、ランニングシューズ、バスケットボールシューズ、サッカーシューズ、バレエシューズなど）、ウォーキングシューズ、サンダル、フリップフロップ、ブーツ、又は他の適切なタイプの靴であり得る。加えて、迅速挿入靴100は、男性、女性、及び子供が着用するようにサイズ指定及び構成することができる。
【００１３】
迅速挿入靴100は、図1Bで参照されるように、迅速挿入ヒール構造110を備えることができる。ヒール構造110は、様々な実施態様によると、一般に、迅速挿入靴100の後部105を圧潰形態から非圧潰形態（以下により詳細に説明される）に戻すように構成された任意の構造、組立体、又は機械装置である。本明細書で使用されるように、迅速挿入靴100の後部105は、該靴のクォーター、該靴のアッパーのヒール部分、ヒールシート、ヒールカウンター、バックストラップ（例えば、サンダルの場合）、又は使用者の踵の周りに配置されるように構成された靴の他の部分を指し得る。以下により詳細に説明されるように、ヒール構造110の少なくとも一部（以下に説明される変形可能な要素130など）が、迅速挿入靴100の後部105内に埋め込まれ、かつ/又は該後部105に沿って延在する。
【００１４】
これに関連して、ヒール構造110は、様々な実施態様によると、それ自体が、圧潰形態136（図3B及び図3Cを一時的に参照）及び非圧潰形態138（図3B及び図3Cを一時的に参照）を有することができる。例示的な実施態様では、図1A、図1B、図3B、及び図3Cを参照すると、ヒール構造110は、非圧潰形態に付勢されている。非圧潰形態138では、ヒール構造110は、迅速挿入靴100の後部105を使用者の踵の周りに固定することができる。言い換えれば、例示的な実施態様では、ヒール構造110は、圧潰形態136では下方に（すなわち、迅速挿入靴100のソールに向かって）圧潰され、該ヒール構造110は、非圧潰形態138では、使用者の踵の周りに延在するように上方に（すなわち、迅速挿入靴100のソールから離れる方向に）戻されている。様々な実施態様では、ヒール構造110の圧縮は、非圧潰形態138よりも圧潰形態136でより大きいが、該ヒール構造110の非圧潰形態138は、迅速挿入靴100の後部105を使用者の踵の周りに保持できるように依然として少なくとも部分的に圧縮（すなわち、予荷重圧縮）することができる。例えば、靴の後部105は、ヒール構造110を予荷重された非圧潰形態に保持又は維持することができる。様々な実施態様では、非圧潰形態138では、ヒール構造は、より直立/垂直の向きに配置することができ、かつ/又は殆ど又は全く圧縮を有さなくてもよい。
【００１５】
圧潰形態では、ヒール構造110は、使用者の足を靴開口部に案内する、あるいは使用者の足を該靴開口部に収容することができる。圧潰形態は、使用者の足がヒール構造110を押し付ける又は押し下げると同時に、例えば、ゴアリング要素（goring element）又はパネル170を使用して靴開口部を拡張することによって生じさせることができる（例えば、図6Aを参照して以下に説明される）。様々な実施態様では、圧潰形態のヒール構造110は、押し下げられる又は変形され、靴開口部が少なくとも約5％、又は少なくとも約10％、又は少なくとも約15％拡張される。例えば、靴開口部の周囲は、少なくとも約1.0インチ（約2.54センチメートル）拡張可能とすることができる。例示として、図6Eに描かれている矢印を一時的に参照すると、靴開口部は、迅速挿入靴の後部の下方への圧潰に応じて拡張することができる。
【００１６】
靴開口部の拡張の程度は、靴のスタイル及びサイズによって異なり得る。様々な実施態様では、圧潰形態の後部105は、押し下げられる又は圧縮される。様々な実施態様では、圧潰形態のヒールの高さは、非圧潰形態のヒールの高さよりも約50％低いが、他のパラメータと同様に、これは靴のスタイル及びサイズによって異なり得る。
【００１７】
使用者の足が迅速挿入靴100の中に入る又は迅速挿入靴100から出ると、ヒール構造110は、非圧潰形態（すなわち、元の位置）に戻る。例示的な実施態様の圧潰形態では、ヒール構造110は、約1重量ポンド〜約10重量ポンド（約0.454kgf〜約4.54kgf）の非圧潰形態に向かう戻り力を示す。様々な実施態様では、圧潰形態では、ヒール構造110は、約4重量ポンド〜約8重量ポンド（約1.81kgf〜約3.63kgf）の非圧潰形態に向かう戻り力を示す。様々な実施態様では、圧潰形態では、ヒール構造110は、約5重量ポンド〜約7重量ポンド（約2.27kgf〜約3.18kgf）の非圧潰形態に向かう戻り力を示す。
【００１８】
様々な実施態様では、戻り力は、靴の後部105が跳ね戻って、使用者の踵の周りにぴったりと適合するように十分に強い。例示的な実施態様では、ヒール構造110は、圧潰形態から非圧潰形態に約1秒未満で戻る。様々な実施態様では、ヒール構造110は、圧潰形態から非圧潰形態に約0.5秒未満で戻る。様々な実施態様では、ヒール構造110は、圧潰形態から非圧潰形態に約0.2秒未満で戻る。この跳ね戻り時間は、例えば使用者の踵によって加えられ得るいかなる外力も存在しないときに測定される。
【００１９】
ヒール構造110は、完成した靴に組み込むためにスタンドアロン製品として製造してもよいし、又は完成した靴と一体に若しくはその中に製造してもよい。
【００２０】
様々な実施態様では、引き続き図1Bを参照すると、迅速挿入靴100のヒール構造110は、少なくとも1つのベース120及び少なくとも1つの変形可能な要素130を備える。変形可能な要素130は、ベース120に結合され、一般に、迅速挿入靴100の後部105の中に埋め込まれ、かつ/又は該後部105に結合され、それに沿って延在する。単一の変形可能な要素130が、後部105の周りに連続的に延在してもよいが、以下に説明される様々な実施態様によると、ヒール構造110が、2つの別個の異なる変形可能な要素130間に配置されたヒールピース140を備えてもよい。本明細書で使用される用語「変形可能な要素」は、曲げられる又は圧縮され得るが、曲げられていない状態又は圧縮されていない状態に向かって移動させる付勢を有する弾性的に可撓性の部材を指す。変形可能な要素130に関するさらなる詳細は以下に含められる。
【００２１】
様々な実施態様によると、変形可能な要素（複数可）130はベース120に結合される。用語「ベース」は、変形可能な要素（複数可）130が結合される迅速挿入靴100の剛性部分又はセクションを指し得る。言い換えると、ベース120は、変形可能な要素（複数可）130が結合される固定接続点（複数可）を指す。ベース120は、アウトソール若しくはその一部、ミッドソール若しくはその一部、インソール若しくはその一部、ウェッジ若しくはその一部、アッパー若しくはその一部（例えば、ヒールカウンター）、又は迅速挿入靴100のこれらの列挙された部分間に配置された及び/若しくはこれらに隣接した他の適切な構造を指し得る。
【００２２】
様々な実施態様では、変形可能な要素130は、ベース120に直接的に結合される、取り付けられる、又は取着されるが、他の実施態様では、ベース120は、任意に、1つ以上のアンカー121を備えてもよい。様々な実施態様では、アンカー121は、変形可能な要素（複数可）130に係合して所定の位置に保持するベース120の一部であってもよい。様々な実施態様では、アンカー（複数可）121は、迅速挿入靴100のインソール、ミッドソール、アウトソール、アッパー、又は他の後部105の内部、又はこれらの間、又は外部に一体的に形成する、連結する、かつ/又は配置することができる。様々な実施態様では、例えば、アンカー121は、ブロック又はウェッジ内に配設される。アンカー121は、アッパー、ヒールカウンター125（図8を参照）、又はアウトソールの上に配置された他の装置に配置することができる。アンカー121はまた、ミッドソールとアウトソールとの間、フットベッドとミッドソールとの間、及び/又はアッパーの外側に配置してもよい。一実施態様では、ミッドソールを彫って又は切り取って、アンカー121を迅速挿入靴100に取り付ける又は収容することができる。アンカー121はまた、ヒールカウンター125に又はその中に取り付けてもよい。図8は、ヒールカウンター125に固定されたワイヤを例示し、本開示の例示的な実施態様に従って、該ヒールカウンター125が、ヒールの圧潰を可能にするように成形されている。様々な実施態様では、ヒール構造110のベース120は、迅速挿入靴100の全幅に延在する単一アンカー121を備えてもよいし、又は該ベース120は、迅速挿入靴100の両側（例えば、外側及び内側）に2つのアンカーを備えてもよい。
【００２３】
アンカー121は、一般に、変形可能な要素130及び/又はヒールピース140を迅速挿入靴100に固定するために設けられた構造である。例えば、図2A及び図2Bを参照すると、ベース120は、アンカー121及びアンカー受容部122を備えることができる。言い換えれば、アンカー121は、ミッドソールタック124のミッドソールウェッジ又はミッドソールブロック126の中への延長によって形成されたアンカー受容部122内に収容することができる。
【００２４】
アンカー121は、ナイロン、アセタールホモポリマー/ポリオキシメチレン、アルミニウム、グラファイト、熱可塑性ポリウレタン（TPU）、熱可塑性コポリエステルエラストマー（TPC-ET）、ポリプロピレン、アクリル樹脂、ゴム、チタン、アクリロニトリルブタジエンスチレン（ABS）、及びポリカーボネートなどの1つ以上の材料を含み得る。
【００２５】
変形可能な要素130は、上で簡単に紹介されたように、一般に、ヒール構造110を圧潰形態から非圧潰形態に戻すために設けられた構造である。ヒール構造110は、1つ以上の変形可能な要素130、例えば迅速挿入靴100の両側に1つの変形可能な要素130を備えることができる。一例として、単一の変形可能な要素130は、靴100の一側から靴100の他側まで延ばすことができ、かつ1つ以上のアンカー121に取り付けることができる。
【００２６】
変形可能な要素130は、チューブ、ワイヤ、ばね、及び形状記憶構造又は材料などの1つ以上を含み得る。例示的な実施態様では、変形可能な要素130は、1つの単一ピースを含む。例えば、様々な実施態様によると、変形可能な要素130の第1の端部は、左アンカー121（又は単一アンカー121の左側）に埋め込む又は取り付けることができ、変形可能な要素130の第2の端部は、右アンカー121（又は単一アンカー121の右側）に埋め込む又は取り付けることができ、かつ変形可能な要素130の中間部分は、様々な実施態様によると、ヒールの周りに延在させることができる（又はヒールピース140に結合する又はこの中に埋め込むことができる）。
【００２７】
様々な実施態様では、変形可能な要素130の第1及び第2の端部は、迅速挿入靴100のフットベッドの下に配設される。言い換えると、変形可能な要素130が接続されたベース120の接続位置（例えば、アンカー121）が、迅速挿入靴100のフットベッドの下に位置する。様々な実施態様では、ヒール構造110は、後部105が迅速挿入靴100のフットベッドの上に常に位置するように構成することができる。言い換えると、ヒール構造110が圧潰形態136にあるか非圧潰形態138にあるかにかかわらず、様々な実施態様によると、後部105を、迅速挿入靴100のフットベッドの上に維持することができる。
【００２８】
他の実施態様では、変形可能な要素130は、複数の別個の異なる構成要素を備える。例えば、変形可能な要素130は、2つの別個の構成要素を備えることができ、第1の構成要素は、左アンカー121（又は単一アンカー121の左側）に埋め込まれた又は取り付けられた第1の端部、及びヒールピース140の左側（又は以下に説明されるようにヒールピース140の左パドル）に埋め込まれた又は取り付けられた第2の端部を有し、第2の構成要素は、右アンカー121（又は単一アンカー121の右側）に埋め込まれた又は取り付けられた第1の端部、及びヒールピース140の右側（又は以下に説明されるよう、ヒールピース140の右側パドル）に埋め込まれた又は取り付けられた第2の端部を有する。複数の別個の異なる構成要素は、それぞれ異なる安定性及び強度を提供することができる、例えば、テープラップ、織物ケース（woven encasing）、オーバーモールド（例えば、TPU）、及び熱収縮チューブなどの1つ以上で一緒に固定することができる。非限定的な例として、図3Aを参照すると、変形可能な要素130は、カバー、スリーブ、オーバーモールド、又は熱収縮チューブ134で包まれた又は一緒に包まれた1本以上のワイヤ132を備えることができる。1本以上のワイヤ132は、アーチ状に曲がって傾き、次いでその最初/通常の状態に戻ることができる。
【００２９】
変形可能な要素130は、その長さに沿って及び/又はその長さに沿った異なる点で様々な機械的特性を有し得る。このような変化は、変形可能な要素130、その複数の別個の異なる構成要素の1つ以上、並びに/又はその長さに沿って様々な断面、密度、及び/若しくは材料などを有する、変形可能な要素（複数可）130の全部又は一部を取り囲む固定具によって提供することができる。次に、通常ならその長さに沿って一定の太さ若しくは形状を有する変形可能な要素130の太さ若しくは形状の変化又は該変形可能な要素130を捩ることによって、様々な断面を提供することができる。様々な実施態様では、複数の変形可能な要素130は、同じ又は異なる機械的特性を有することができ、例えば、互いに独立して曲がることができる。
【００３０】
様々な実施態様では、図8を一時的に参照すると、変形可能な要素130は、カバー、スリーブ、オーバーモールド、又は他の適切な構造（要素135として概略的に示されている）を備える。このカバー135は、変形可能な要素130を保護することができ、かつ該変形可能な要素130の撓み又は圧縮を制御する、案内する、支持する、かつ/又は他の方法で影響を与えることができる。様々な実施態様では、カバー135は、その材料の製造、形状、ジオメトリなどに基づき、機械的な曲げる力/変形力を変形可能な要素130から該カバー135に伝達することによって機械的応力の分布を促進し、これにより、該変形可能な要素130が受ける集中した繰り返される機械的応力から通常は生じ得る損傷又は破壊が該変形可能な要素に生じるのを防止する又は少なくとも抑制するように構成されている。例えば、カバー135は、その長さに沿って変化する寸法、例えば、図8に示されている漏斗状のテーパ形状を有して、応力の分布を助けて変形可能な要素130の動的な曲げに寄与することができる。変形可能な要素130が破損する稀な事象では、カバー135は、少なくともある程度の付勢を提供することができ、これにより、挿入靴100が非圧潰位置に戻るのを助ける一定レベルの跳ね戻りをなお可能にする。さらに、カバーは、変形可能な要素に追加のパッド及び/又は支持を提供することができ、かつヒールの周りに延在する変形可能な要素を使用者が感じるのを防止する又は少なくとも抑制することができる。
【００３１】
変形可能な要素130は、指向性の付勢をさらに有することができる。そのような付勢は、変形可能な要素130、その複数の別個の異なる構成要素の1つ以上、並びに/又はその長さに沿って様々な断面、密度、及び/若しくは材料などを有する、変形可能な要素（複数可）130の全部又は一部を取り囲む固定具によって上記のように提供することができる。非限定的な例として、変形可能な要素130は、ヒール構造110を圧潰形態から非圧潰形態に戻すのに十分に弾性的に可撓性である第1の構成要素又はワイヤ（例えば、ニチノール）を備えることができ、かつ変形可能な要素130の1つ以上の所望の曲率の円弧（複数可）（例えば、靴の側方から見た弧、及び靴の端部から見た弧）を誘導する第2の構成要素又はワイヤ（例えば、グラファイト）をさらに備えることができる。これらの2つの構成要素は、上記のようにプラスチックコーティング又はシールドで覆う又は包むことができ、これについては、図8を参照して以下により詳細に説明される。ヒール構造110は、使用者の足が該ヒール構造110を迅速挿入靴100の側部又は後部ヒールから押し下げることによって圧潰させることができる。ヒール構造110は、（例えば、側部から）中心を外れて押し下げても、なお適切に動作して跳ね戻ることができる。
【００３２】
図3B及び図3Cを参照すると、変形可能な要素130は、ヒール構造110が非圧潰形態138と圧潰形態136との間を移動するときに1つ以上の所望の曲率円弧（複数可）を示すことができる。例えば、変形可能な要素130は、靴の側方から見た第1の曲率円弧（図3B）、及び靴の端部から見た第2の曲率円弧（図3C）を有することができる。これに関して、変形可能な要素130は、一部の実施態様では平面的ではない。
【００３３】
曲率円弧は、アンカー121を起源としてもよいが、例示的な実施態様では、変形可能な要素130は、迅速挿入靴100のベース120の周り（例えば、インソール、ミッドソール、又はアウトソールの周り）を旋回しない（すなわち、非旋回）。言い換えると、変形可能な要素130は、ベース120に回動しないように結合することができる。様々な実施態様では、変形可能な要素130とベース120（又はアンカー121）との間の係合は遊びがない、すなわち、2つの構成要素130、120間の相対運動が殆ど又は全く存在しない。
【００３４】
一部の実施態様では、曲率円弧は、その長さに沿って一定であるが、他の実施態様では、円弧は、例えば、上記のように様々な機械的特性を示すことによって、その長さに沿って及び/又はその長さに沿った異なる点で変化する。一部の実施態様では、非圧潰形態と圧潰形態との間の変化は、靴のアッパー構造の制約に起因し得る。
【００３５】
図3Bを特に参照すると、変形可能な要素130によって示される靴の側方から見た曲率円弧は、ヒール構造110が圧潰形態にあるときは第1の曲率半径R1を有し、そしてヒール構造110が非圧潰形態にあるときは（第1の曲率半径R1よりも大きい）第2の曲率半径R2を有し得る。例示的な実施態様では、第1の曲率半径R1は、第2の曲率半径R2よりも約30％〜約60％小さい又は約45％小さい。
【００３６】
変形可能な要素130は、炭素鋼、ステンレス鋼、チタン、ニッケルチタン（ニチノール）、及び他の金属及び合金（形状記憶又は他のもの）、ポリマー（形状記憶又は他のもの）、複合材料、発泡材料、グラファイト、炭素繊維、ガラス繊維、TPC-ET、シリコーン、TPU、及びポリカーボネートなどの1つ以上の材料を含み得る。例えば、変形可能な要素130は、チタンを含んでもよいし、又はチタンワイヤであってもよい。また、1つ以上の変形可能な要素130は、第1の材料、例えばチタンから形成することができ、1つ以上の変形可能な要素130は、第2の材料、例えばグラファイトから形成することができ、これにより、ヒール構造110の容易な変形を有利に可能にすると同時に、ヒール構造110の元の位置（すなわち、非圧潰形態）へのより迅速な跳ね戻りを提供する。
【００３７】
様々な実施態様では、図3Dを参照すると、ベース120に取り付けられた変形可能な要素130の端部は、該ベース120を通って延びる垂直軸に対してある角度で外側に向いている。様々な実施態様によると、この角度が付いた向きにより、変形可能な要素130は、使用者の足50の踵の輪郭の周りに延在し、かつ/又は該輪郭に従うことが可能である。変形可能な要素は、非圧潰形態及び/又は圧潰形態において、使用者の足/踵の自然な輪郭に従うように構成することができる。したがって、様々な実施態様では、足50の一側（例えば、内側）における変形可能な要素130の撓み、曲率、及び/又は長さは、該足50の他側（例えば、外側）における該変形可能な要素130の曲率及び/又は長さとは異なり得る。
【００３８】
変形可能な要素130の少なくとも一部を、靴の後部105に接続することができる。例えば、変形可能な要素130は、靴の後部105が圧潰形態に変化するヒール構造110に応答して圧潰し、かつ該靴の後部105が非圧潰形態に戻る該ヒール構造110に応答して跳ね戻るように、靴開口部のトップラインに近接して該靴に結合することができる。様々な実施態様では、変形可能な要素130の一部は、靴の後部105（例えば、クォーター）内に移動することができる。例えば、変形可能な要素130は、靴のクォーター又はヒールカウンターの内面と外面との間に配設することができ、該変形可能な要素130の変形に応答して、該靴の内面及び外面に対して移動することができる。例示的な実施態様では、変形可能な要素130又はヒールピース140は、靴100の後部105内に完全に含めることができる。一部の実施態様では、変形可能な要素130は使用者に見えるが、他の実施態様では、該変形可能な要素130は使用者に見えない。
【００３９】
様々な実施態様では、図3Bを参照すると、変形可能な要素130は、ベース120から上方及び後方（すなわち、靴の後部105に向かって）に延びている。変形可能な要素130のこの延在方向は、様々な実施態様によると、使用者の足の挿入に応答して変形可能な要素130が靴開口部に対して実質的に内側に折れ曲がるのを防止する又は少なくとも抑制する。言い換えると、変形可能な要素130は、一般に、使用者の足50が靴150の中に挿入されると変形してこれに応答するが、該変形可能な要素130は、一般に、トップライン（例えば、靴開口部のカラーのトップライン）が内側に折れ曲がる又は曲がるのを防止する（すなわち、靴開口部が実質的に圧潰するのを防止する）。しかしながら、様々な実施態様では、変形可能な要素130は、靴開口部のトップラインの後部の形状が変形して使用者の足の形状に適合するのを可能にする。
【００４０】
様々な実施態様では、上述されたように、ベース120は、アンカー121及びアンカー受容部122を備えることができる。アンカー121は、例えば、抵抗嵌合、圧入嵌合、スナップ嵌合、又はインターロック機構/構成によってアンカー受容部122に装着/結合することができる。このような実施態様では、変形可能な要素130を、まずアンカー121に結合することができ、次いで、該アンカー121を、アンカー受容部122に装着/結合することができる。
【００４１】
任意のヒールピース140は、一般に、ヒール構造110が非圧潰形態にあるときに使用者の踵の周りに迅速挿入靴100の後部105を固定し、かつヒール構造110が圧潰形態にあるときに使用者の足を靴開口部に案内する、あるいは使用者の足を該靴開口部に収容するために設けられた構造である。ヒール構造110は、複数のヒールピース140を備えることができる。
【００４２】
図4A及び図4Bを参照すると、ヒールピース140は、1つ以上のブリッジ又はネック144、146で接続することができる1つ以上のパドル142を備えることができる。ブリッジ144、146は、（図4A及び図4Bに示されているように）間隙又は開口部によって分離することができる。例示的な実施態様におけるパドル142は、互いに独立して回動可能かつ/又は移動可能である。1つ以上のネック144、146で接続された1つ以上のパドル142は、1つの単一ピース又は複数の別個の異なる構成要素を備えることができ、該複数の別個の異なる構成要素は、一部の実施態様では、例えばテープラップ、織物ケース、オーバーモールド（例えば、TPU）、及び熱収縮チューブなどの1つ以上で一緒に固定される。パドル142はまた、アッパーのヒール部分を構成する材料によって一緒に接合することもできる。アッパーの材料は、様々な実施態様によると、ブリッジとして使用することができ、2つの別個の接続されていないパドルを使用することができる。あらゆる種類のクッションシステムをパドル142として使用することができる。ブリッジ144、146は、ばねワイヤ、又は2本のワイヤに接続されるか若しくは1本のワイヤの周りに巻き付けられる弾性の可撓性若しくは柔軟な材料であり得る。変形可能な要素130は、様々な実施態様によると、1つのアンカー121のみに取り付け、他方は接続しないままでもよい。パドルは、迅速挿入靴のクォーター又はヒールカウンター内に配置することができる。様々な実施態様では、パドルは、靴開口部のトップラインに近接して迅速挿入靴の後部に接続される。
【００４３】
例示的な実施態様では、変形可能な要素130のどの部分も、ヒールピース140を完全には貫通して延在していない。言い換えれば、例示的な実施態様では、変形可能な要素130は、迅速挿入靴100の内側と外側との間で連続していない。例えば、パドル142は、変形可能な要素130に回動可能に結合することができる。様々な実施態様では、変形可能な要素130は、その長手方向軸を中心にある程度まで回動することができる（例えば、捩れの中心は、長手方向軸である）。他の実施態様では、変形可能な要素130は、ヒールピース140を完全に貫通して延在し、かつ/又はヒールピース140を形成する。
【００４４】
一部の実施態様では、下部ブリッジ又はネック146は、変形可能な要素130を中心とするパドル142の内側への回動（すなわち、パドル142のロールイン）を防止する。より具体的には、下部ブリッジ又はネック146は、パドル142の下部がばらばらに広がるのを防止することができる。例示的な実施態様では、ネック144、146間に隙間又は開口部が存在する。あるいは、単一のブリッジ又はネックを使用してパドル142を接続することができる。
【００４５】
図4Bに矢印で示されているように、変形可能な要素130を中心とするパドル142の外側への回動（すなわち、パドル142の開き）が、一方向回動機構を有する例示的な実施態様で誘導される。例えば、図4B及び図4Cを参照すると、パドル142は、変形可能な要素130の拡大部分131が一方向（例えば、外側方向）にのみ回動することができる開口部143又は内側の容積の増加を一側にのみ有することができる。拡大部分131は、それ自体の上に折り返された変形可能な要素130の一部又は変形可能な要素130のクリンプ部分などを備えることができる。
【００４６】
ヒールピース140のパドルの変形可能な要素130を中心とした外側への回動は、図6Bに例示されているように、ヒールピース又はアッパーのヒールの材料が圧潰することによってさらに補助され得る。このような実施態様では、アッパーのヒールの材料の圧潰により、ヒールピース140のパドルを広げて開くことができる。
【００４７】
ヒールピース140は、熱可塑性ゴム（TPR）、シリコーン、スチレン-エチレン/ブチレン-スチレン（SEBS）、ナイロン、アセタールホモポリマー/ポリオキシメチレン、アルミニウム、TPU、TPC-ET、ポリプロピレン、アクリル樹脂、ゴム、ABS、及びポリカーボネートなどの1つ以上の曲げられる材料又は可撓性材料を含み得る。
【００４８】
ヒールピース140は、パドル142及びネック144、146では異なる材料で製造することができる。加えて、ヒールピース140は、全体として十分な剛性及び強度を提供すると共に、使用者の快適さのために該使用者の足又は他の部分に向けられる表面に所望の柔らかい感触を与えるように異なる材料の層を備えることができる。
【００４９】
当業者には明らかなように、一部の実施態様では、迅速挿入靴100は、使用者が迅速挿入100の適合の緊密さを調整することを可能にする靴紐などの1つ以上の従来の締め付け/緩め機構を有することができる。このような機構（複数可）に加えて、又はその代わりに、図5及び図9A〜図9Gを参照すると、迅速挿入靴100は、1つ以上のタンフレア152、横断要素154、及び/又はタン補強材を有する迅速挿入及びスナップバック適合タン要素150を備えることができる。本明細書で使用される「横断要素」は、硬質、半硬質、又は可撓性の要素、例えばストラップ、バー、又はガセットなどであり得る。例示的な実施態様では、タンフレア152は、使用者の足50を迅速挿入靴100に案内するように成形される（例えば、漏斗状の形状）。タン要素150は、靴に入る又は靴を出る足によって圧力が加えられるときに上方に移動することもできる。様々な実施態様では、タン要素150は、横断要素154を中心に座屈する（例えば、曲がる、湾曲する、折れ曲がる）ように構成されている。言い換えると、横断要素154は、タン要素150がその長さに沿った特定の位置で曲がるのを促進することができ、これにより、タン要素150の下部（例えば、横断要素154の下の部分）が曲がっていない状態を維持しながら、その頂部（例えば、タンフレア152）が曲がって使用者の足50が靴に進入することが可能になる。横断要素154又は他のこのような機構は、靴150のクォーター、ガセット、又は他の適切な部分に結合してもよいし、又はこれらの一部であってもよい。
【００５０】
例示的な実施態様における横断要素154は、別個のパネルとして、又はクォーターの一部として一体的に形成された、迅速挿入靴100のクォーターに結合することができる。横断要素154はまた、靴紐、ウェビング、又はアッパーの中に縫い付けられるか若しくはその中で移動可能な他の材料であってもよい。一般に、横断要素154は、使用者の足が迅速挿入靴100に進入することによって外側に押されたときにタンが曲がるための半硬質領域を提供する。一部の実施態様では、横断要素154は、タンが曲がることができる程度を変更するため、及び適合の緊密さを調整するために上方及び/又は下方に調整可能とすることができる。上方及び/又は下方の調整は、スライド機構で達成することができる。例示的な実施態様では、適切な曲げ又は緊密さが達成されると、横断要素154は殆ど使用されない。別の実施態様では、横断要素は存在しない。代わりに、靴のバンプが、タンの所望の位置まで延びて、横断要素154と同じ機能を果たす。
【００５１】
次に図6Aを参照すると、タン補強材156は、可撓性のばね状材料、例えばプラスチック又は別の可撓性の半硬質材料を含み得る。例示的な実施態様では、タン補強材156は、迅速挿入靴100に進入する使用者の足によって押されたときに外側及び/又は上方に撓む。このような実施態様では、次いで、タン補強材156は、使用者の足が迅速挿入靴100に入ると閉じた位置に跳ね戻る。一部の実施態様では、タン補強材156はタン上に見えるが、他の実施態様では、タン補強材156は、タンの内層に縫い付けられる。
【００５２】
様々な実施態様では、本開示の迅速挿入靴は、引き続いて図6Aを参照して以下に説明される1つ以上の圧潰要素及び/又は追加の機構を備えることができる。
【００５３】
一部の実施態様では、迅速挿入靴100は、ヒール又は材料補強材160を備える。溶接されたTPUは、使用者及びライナー材料がワイヤで擦れるのを防止する。例示的な実施態様では、ヒール又は材料補強材160は、一貫した圧潰のために、より可撓性の高いヒール材料の圧潰を誘導する。材料補強材160は、ヒールが圧潰するときにその最も広い点で広がるように成形することができ、これにより、より可撓性の高いヒール材料の制御された方式での内側への折り曲げが誘導される。材料補強材160は、迅速挿入靴100の後部105の靴のアウトソールから立ち上がらせることができ、これにより、抵抗を提供し、より可撓性の高いヒール材料の内側への折り曲げがさらに誘導される。材料補強材160は、迅速挿入靴100の外面又は内面、又はこれらの間のどこかに適用することができる。材料補強材160は、TPU接合部又は裏材などを備えることができる。あるいは、図7Ａ及び図7Bを一時的に参照すると、迅速挿入靴のクォーターパネルを迅速挿入靴100の後部105まで延ばして、材料補強材160と実質的に同様の構造及び機構を提供することができる。
【００５４】
図7Cは、本開示の例示的な一実施態様による迅速挿入靴の上部リムにおけるスプリット170及び弾性ゴア172の組立分解図を例示している。迅速挿入靴100は、一部の実施態様では、三角形の形状に形成されたスプリット170を備える。例示的な実施態様では、スプリット170は、迅速挿入靴100のカラーのトップライン173の最も低い点であり得る、迅速挿入靴100の上部リム、ヒール、又は後部におけるスプリットを含む。スプリット170は、弾性ゴア172又は別の伸縮性材料を備えることができる。例示的な実施態様では、スプリット170は、ヒールの圧縮中に広がり、迅速挿入靴100の外側及び内側クォーターを内側に引っ張ることなく、ヒールの圧潰を可能にする。別の実施態様では、図7A及び図7Bを一時的に参照すると、スプリット170は、迅速挿入靴100のクォーターパネルとは独立に動くより実質的に分離されたヒールを際立たせることができる。スプリット170は、ヒールのクォーターパネルへの戻りを促進するために弾性部材171（図7Aを参照）を伴い得る。
【００５５】
様々な実施態様では、図7A及び図7Bを参照すると、迅速挿入靴100の圧潰性により、足50の挿入角度を変更することを可能にする。本明細書で使用される「挿入角度」は、足50の長手方向軸と靴のフットベッドの長手方向軸との間の角度を指す。図7Aは、第1の足挿入角度61を示し、図7Bは、第1の足挿入角度61よりも小さい第2の足挿入角度62を示している。本明細書で提供される迅速挿入靴100の圧潰性がないと、使用者は、第1の足挿入角度61から第2の足挿入角度62に変更することができないため、足50を靴に挿入するために、第1の足挿入角度61を維持するか、又は潜在的に第1の挿入角度61を大きくする必要があろう。例えば、従来の靴を使用する場合、使用者は、靴紐を手動で緩めるか、又は従来の靴に使用者の足を挿入するために靴べらを使用する必要があり得る。従って、ヒール機構110（例えば、変形可能な要素130を含む）は、足挿入角度を小さくすることができ、これにより、迅速挿入靴100の装着の容易さを改善する。言い換えると、使用者の足50が、ヒール機構を圧潰形態に変形させることができ、これにより、挿入中に足50の甲及び/又は母指球を下げることが可能となる。この場合もまた、足50を迅速挿入靴の中に完全に挿入した後、ヒール機構110が、ぴったりと適合するように該迅速挿入靴の後部105をヒールの周りを上方に跳ね戻らせる。
【００５６】
様々な実施態様では、スプリット170は、靴のクォーター/アッパーの全高に沿って延在していない。スプリット170は、トップライン173とフットベッドとの間の距離の約30％〜約40％延在し得るが、他のパラメータと同様に、これは、靴のスタイル及びサイズによって変化し得る。
【００５７】
一部の実施態様では、迅速挿入靴100はキックプレート180を備える。例示的な実施態様では、キックプレート180は、図3Dを参照して上記されたアンカー受容部122を形成するか、あるいは該アンカー受容部122と一体である。すなわち、一部の実施態様では、キックプレート180は、アンカー121を保持する（又はその保持に寄与する）ように構成することができる。様々な実施態様では、キックプレート180（アンカー受容部122）は、迅速挿入靴100のヒールの内側又は外側に幅広部分を備え、該幅広部分は、反対側の靴のつま先に、手を使わずに迅速挿入靴100を脱ぐための位置を提供する。キックプレート180は、迅速挿入靴100のミッドソールに埋め込まれたTPUモールド、ナイロン若しくは他の硬質材料、又は裏材などを含むことができる。
【００５８】
例示的な実施態様によると、図6A〜図6Cに示されているように、迅速挿入靴100は、ライナー及び使用者の足がワイヤに擦れるのを防止するため、及び/又は圧力を消失させてホットスポットを最小限にするために、ワイヤ保護、例えばTPU接合部又は裏材などをライナー材料の一部の上に設けることができる。
【００５９】
本開示の多数の迅速挿入機構を説明するために、図6A〜図6Fは、ヒール要素及びタン要素によって提供される機構が、迅速挿入靴100への使用者の足の迅速な挿入及び適合を促進する方法を例示している。図6A及び図6Bでは、迅速挿入靴100は、下の表面に支持され、使用者の足を受容する準備ができている。
【００６０】
使用者が迅速挿入靴100を履きたい場合は、図6B及び図6Eに示されているように、該使用者は、その足を従来の靴開口部に挿入することによって開始する。タンフレア152が外向きに広がり、使用者の足用の開口部のサイズが大きくなり、該使用者の足を迅速挿入靴100の中に案内する。同時に、タン補強材156は、迅速挿入靴100に進入する使用者の足によって押されると外側に曲がり、次いで、タンが下方にスナップバックして甲に適合する。
【００６１】
使用者の足が迅速挿入靴100に挿入されるときに、使用者の足が迅速挿入靴100に入る程度が大きくなると、アッパーの後部を押し下げ始め、これにより、変形可能な要素130によって該アッパーの後部に加えられる張力に抗して該アッパーの後部が下方に撓む。使用者の足が迅速挿入靴100への完全な進入に近づくと、アッパーの後部がほぼ完全に押し下げられる。例示的な実施態様における迅速挿入靴100の後部の変形の程度から、クォーターの材料が、一般に、所望の外観を維持しながら所望の変形の程度を許容するように選択されることを理解されたい。一部の実施態様では、クォーターの材料は、所望の変形を誘導する、あるいは促進するように選択される。例えば、図6B及び図6Eを引き続き参照すると、材料補強材160は、より可撓性の高いヒール材料が制御された方式で内側に折り曲げられるように誘導することができる。同じ又は他の実施態様では、スプリット170は、ヒールの圧縮中に広がることができ、これにより、迅速挿入靴100の外側及び内側のクォーターを内側に引っ張ることなくヒールを圧潰させることが可能である。
【００６２】
使用者の足が迅速挿入靴100の中に完全に進入すると、変形可能な要素130の張力により、図6C及び図6Fに示されているように、迅速挿入靴100が再びその自然の形態をとるまで、アッパーの後部が使用者の足の周りを上方に跳ね戻る。次いで、タン補強材156が、使用者の足が迅速挿入靴100に進入した後に閉じた位置に跳ね戻ることができる。横断要素154は、上記の1回限りの調整機構と同様に、タンに許容される曲げの程度を変更するため及び適合の緊密さを調整するために調整可能であり得る。この構成では、迅速挿入靴100は、不所望に脱げないように使用者の足を迅速挿入靴100の中に自然に保持する。スライドゾーン190は、進入中に使用者の足がフットベッド上を滑ることを可能にすることができる。
【００６３】
次いで、使用者は、迅速挿入靴100を脱ぎたくなるまで通常通り迅速挿入靴100を着用することができ、該使用者が迅速挿入靴100を脱ぎたくなったときは、該迅速挿入靴100を迅速に脱ぐことができる。多くの靴は、解かずには脱ぐことができないが、ヒール要素及びタン要素によって提供される迅速挿入機構は、脱ぐことをさらに容易にする。使用者は、他方の足か又は手若しくは別の物体のいずれかを用いてキックプレート180を単純に押し下げると、迅速挿入靴100から足を抜くことが大幅に容易になる。例示的な実施態様では、反対側の靴のつま先又は他の部分によるキックプレート180への接触で、手を使わずに迅速挿入靴100を脱ぐのが容易になる。
【００６４】
使用者の足が迅速挿入靴100に入るとき及び出るときに、使用者の足の異なる部分がヒールピース140に接触する。使用者の足のこれらの異なる部分は、異なる輪郭を有し、ヒールピース140の構造が、ヒールピース140が変形して使用者の足の部分に概ね適合し、次いでヒールピース140に接触するのを可能にする。例えば、（例えば、図6B及び図6Eに示されているように）使用者の足が迅速挿入靴100に進入すると、ヒールピース140のパドルが、1つ以上のネック及び変形可能な要素130へのそれらの接続部を中心に回動して広がることができ、これにより、使用者は、迅速挿入靴100の開口部の狭い縁を踏んでいるようには感じない。代わりに、使用者は、自分の足を自然に受容する平らな部分又は緩やかに傾斜した部分を感じる。対照的に、使用者の足が迅速挿入靴100に完全に入ると、ヒールピース140のパドルが、より垂直な位置に回動して互いに近づくことができ、使用者のアキレス腱周囲の領域をより自然に包含する。様々な実施態様では、ヒールピース140は、靴の中に足/踵を保持するのを助けるレッジ又はリップを備えることができる。この回動により、使用者の足に完全に装着されると迅速挿入靴100の感触、適合性、及び安全性が改善する。従って、ヒールピース140の構成は、迅速挿入靴100の機能性、適合性、及び快適性を大幅に改善する。
【００６５】
図9A〜図9Gを参照すると、例示的な迅速挿入スナップバック適合タン要素250が示されている。タン要素250は、様々な実施態様によると、熱可塑性プラスチック又はナイロン材料から作製することができる。タン要素250は、長さに沿って延在する中心チャネル251、及び幅に沿って延在する複数の切り込み又は凹部252を有する。中心チャネル251は、図9Bに示されているように、タン要素250を2つの隣接セクション254、256に曲げることを可能にする。複数の切り込み252は、タン要素が上方に曲がることを可能にする。図9Aに示されているように、複数の切り込み252は、様々な実施態様によると、タン要素250の前部で互いにより近い間隔であり、タン要素250の後部でより広い間隔である。これらの切り込み及びその不均一な間隔は、タン要素250が、使用者の足が靴の中に容易にアクセスするためのより大きくてより急な開口、及び該使用者の足が靴の中にあるときのより良い安定性を提供することを有利に可能にする。複数の切り込み252はまた、様々な実施態様によると、互いに等間隔にしてもよい。様々な実施態様では、図9Aを参照すると、使用者の足50が迅速挿入靴に入って、該足によって上向きの圧力がタン要素の前部に加えられると、該タン要素は容易に上向き及び外側に撓んで靴開口部をさらに開いて広げる。足が迅速挿入靴の中にある場合、足のアーチがタン要素250の下側に上向きの圧力を加え、これにより、該タン要素が平らになり、次いで該足の周りに曲がる（例えば、タン要素250の下面は、靴の中にある足50に応じて凹状であり得る（図9B、図9C、図9E、及び図9Gを参照））。様々な実施態様によると、タン要素250は、足が靴の中に滑り込んだ後に足に向かって下方に押し戻る。有利なことに、これは、ぴったりとしたより良好な適合を可能にする。また、タン要素は、より良好な可撓性及び着用性を提供する。
【００６６】
様々な実施態様では、図9Dを参照すると、発泡体クッション、ゲル要素、又は液体充填袋などのクッション258を、タン要素250の下面に隣接して取り付ける、結合する、又は配置して、より良好な快適性を可能にし、足50が靴の中にあるときにタン要素250をロック位置又は固定位置に保持するのを助けることができる。様々な実施態様では、図9Cを参照すると、1つ以上の弾性的に可撓性のワイヤ255又はストラップを、タン要素250の中に埋め込む、又は取り付け/結合して、該タン要素250の曲げ及びスナップバックを助けることができる。タン要素250は、帆布、革、又は他の材料によって覆うことができ、かつ/又は標準的な靴のタンの代わりとして、又は該標準的な靴のタンの中に挿入して、靴への迅速挿入を提供することができる。様々な実施態様では、タン要素250は、該タン要素250の弾性的な可撓性に寄与するフラップ257、又は他のフランジ若しくは延長部を有することができる。
【００６７】
当業者には、本開示の精神又は範囲から逸脱することなく、本開示において様々な変更及び変形が可能であることは明らかであろう。例えば、本開示は、主に靴を参照して説明されているが、当業者であれば、一体構成要素として足の拘束を有する様々な装置、例えば、ウォータースキーに本開示を適用できることを理解されよう。従って、本明細書で説明された実施態様は、添付の特許請求の範囲及びそれらの等価物の範囲内に入るのであれば、本開示の変更及び変形を包含するものとする。
【００６８】
多数の特徴及び利点が、装置の構造及び機能並びに/又は方法の詳細と共に、様々な代替例を含む前述の記載で説明されている。本開示は、例示のみを目的とし、網羅することが目的ではない。特に、本発明の原理の範囲内の組み合わせを含む部品の構造、材料、要素、構成要素、形状、サイズ、及び配置に関して、様々な変更が、添付の特許請求の範囲が表現される用語の広い一般的な意味によって示される限り可能であることは、当業者には明らかであろう。これらの様々な変更が、添付の特許請求の精神及び範囲から逸脱しない限り、これらは、本明細書に包含されるものとする。
【００６９】
利益、他の利点、及び問題に対する解決策は、特定の実施態様に関して本明細書で説明された。さらに、本明細書に含まれる様々な図面に示される接続線は、様々な要素間の例示的な機能的関係及び/又は物理的結合を表すことを目的としている。実際のシステムには、多くの代替的又は追加の機能的関係又は物理的接続が存在し得ることに留意されたい。しかしながら、利益、利点、問題に対する解決策、及び任意の利益、利点、若しくは解決策をもたらす又はより顕著にし得るあらゆる要素は、本開示の重要で必要とされる又は不可欠の機構若しくは要素として解釈されるべきではない。
【００７０】
方法又はプロセスの記述のいずれかに列挙されたステップは、あらゆる順序で実行することができ、必ずしも提示された順序に限定されるものではない。さらに、単数形へのあらゆる言及は、複数の実施態様を含み、2つ以上の構成要素又はステップへのあらゆる言及は、単数の実施態様又はステップを含み得る。図面における要素及びステップは、簡潔かつ明瞭にするために例示されており、必ずしも任意の特定の順序に従って示されたものではない。例えば、本開示の実施態様の理解の向上を助けるために、同時に又は異なる順序で実施され得るステップが図面に例示されている。
【００７１】
取り付けられた、固定された、又は接続されたなどのあらゆる言及は、永久的な取り付け、取り外し可能な取り付け、一時的な取り付け、部分的な取り付け、完全な取り付け、及び/又は任意の他の可能な取り付けの選択肢を含み得る。加えて、非接触（又は類似の語句）へのあらゆる言及は、接触の減少又は最小限の接触も含み得る。表面陰影線は、異なる部分又は領域を示すために図面を通して使用され得るが、必ずしも同じ材料又は異なる材料を示す必要はない。場合によっては、基準座標は各図面に特有であってもよい。
【００７２】
システム、方法、及び装置が本明細書で提供される。本明細書の詳細な説明において、「一実施態様」、「実施態様」、「様々な実施態様」などへの言及は、記載された実施態様が特定の機構、構造、又は特徴を含み得ることを示しているが、全ての実施態様が、必ずしも特定の機構、構造、又は特徴を含まなくてもよい。さらに、このような語句は、必ずしも同じ実施態様を指しているわけではない。さらに、特定の機構、構造、又は特徴が実施態様に関連して説明される場合、明示的に説明されているいないにかかわらず、他の実施態様に関連してこのような機構、構造、又は特徴を達成することは当業者の知識の範囲内であると考えられる。説明を読めば、当業者であれば、代替の実施態様で本開示をどのように実施するかは明らかであろう。
【００７３】
さらに、本開示における要素、構成要素、又は方法のステップは、これらの要素、構成要素、又は方法のステップが特許請求の範囲に明示的に列挙されているいないにかかわらず、公開することを目的とするものではない。いかなるクレーム要素も、該要素が「〜の手段」の語句を使用して明示的に記載されていない限り、米国特許法112条（f）項を行使することを意図していない。本明細書で使用される用語「含む（comprises）」、「含む（comprising）」、又はその任意の他の変形は、要素のリストを含むプロセス、方法、物品、又は装置が、これらの要素のみを含むのではなく、明確に列挙されていない又はこのようなプロセス、方法、物品、若しくは装置に固有でない他の要素を含み得るように、非排他的包含を含むものとする。
【図１Ａ】
2019514641.tif 000003
【図１Ｂ】
2019514641.tif 000004
【図２Ａ】
2019514641.tif 000005
【図２Ｂ】
2019514641.tif 000006
【図３Ａ】
2019514641.tif 000007
【図３Ｂ】
2019514641.tif 000008
【図３Ｃ】
2019514641.tif 000009
【図３Ｄ】
2019514641.tif 000010
【図４Ａ】
2019514641.tif 000011
【図４Ｂ】
2019514641.tif 000012
【図４Ｃ】
2019514641.tif 000013
【図５】
2019514641.tif 000014
【図６Ａ】
2019514641.tif 000015
【図６Ｂ】
2019514641.tif 000016
【図６Ｃ】
2019514641.tif 000017
【図６Ｄ】
2019514641.tif 000018
【図６Ｅ】
2019514641.tif 000019
【図６Ｆ】
2019514641.tif 000020
【図７Ａ】
2019514641.tif 000021
【図７Ｂ】
2019514641.tif 000022
【図７Ｃ】
2019514641.tif 000023
【図８】
2019514641.tif 000024
【図９Ａ】
2019514641.tif 000025
【図９Ｂ】
2019514641.tif 000026
【図９Ｃ】
2019514641.tif 000027
【図９Ｄ】
2019514641.tif 000028
【図９Ｅ】
2019514641.tif 000029
【図９Ｆ】
2019514641.tif 000030
【図９Ｇ】
2019514641.tif 000031
【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
迅速挿入靴であって：
ベース；
該ベースに結合された変形可能な要素であって、該変形可能な要素が、該迅速挿入靴の後部の中に埋め込まれるか、又は該後部に沿って延在し、該変形可能な要素が、圧潰形態及び非圧潰形態を有し、該圧潰形態では、該変形可能な要素が、圧縮された状態にあり、下方に曲がり、該非圧潰形態では、該変形可能な要素が、上方に向き、圧縮が減少した状態、非圧縮状態、又は部分的に曲げられた状態にある、前記変形可能な要素；及び
該変形可能な要素に結合されたパドルを含むヒールピースであって、該パドルが、該変形可能な要素の周りを回動可能である、前記ヒールピース、
を含む、前記迅速挿入靴。
【請求項２】
前記変形可能な要素が、前記非圧潰形態では、前記圧潰形態における第1の曲率半径よりも大きい第2の曲率半径を有する、請求項1記載の迅速挿入靴。
【請求項３】
前記変形可能な要素が、前記非圧潰形態及び前記圧潰形態の両方において、使用者の足/踵の自然な輪郭に従うように構成されている、請求項1記載の迅速挿入靴。
【請求項４】
前記変形可能な要素の第1の側が、該変形可能な要素の第2の側の第2の曲率とは異なる第1の曲率を有する、請求項1記載の迅速挿入靴。
【請求項５】
前記変形可能な要素と前記ベースとの間の係合が旋回可能でない、請求項1記載の迅速挿入靴。
【請求項６】
前記変形可能な要素と前記ベースとの間の係合に遊びがない、請求項5記載の迅速挿入靴。
【請求項７】
前記ベースがアンカー及びアンカー受容部を備え、前記変形可能な要素が該アンカーに結合され、かつ該アンカーが該アンカー受容部に結合される、請求項1記載の迅速挿入靴。
【請求項８】
前記変形可能な要素が、該変形可能な要素の撓みに影響を与えるカバーを備える、請求項1記載の迅速挿入靴。
【請求項９】
前記非圧潰形態から前記圧潰形態に移動することに応答して、前記靴の開口部が少なくとも約10％拡張する、請求項1記載の迅速挿入靴。
【請求項１０】
前記変形可能な要素の中間部分が、1重量ポンド〜10重量ポンド（0.454kgf〜4.54kgf）の非圧潰形態に向かう戻り力を示す、請求項1記載の迅速挿入靴。
【請求項１１】
前記変形可能な要素の中間部分が、前記圧潰形態から前記非圧潰形態に約1秒未満で戻る、請求項1記載の迅速挿入靴。
【請求項１２】
前記ヒールピースが、使用者の踵を前記迅速挿入靴の中に保持するのを容易にするように構成されたレッジを備える、請求項1記載の迅速挿入靴。
【請求項１３】
前記パドルの内側への回動が、該パドルを第2のパドルに接続する上部及び下部ネックによって防止される、請求項1記載の迅速挿入靴。
【請求項１４】
前記パドルの外側への回動が、前記ヒールピースの圧潰によって補助される、請求項13記載の迅速挿入靴。
【請求項１５】
タンフレア、横断要素、又はタン補強材のうちの1つ以上を有する迅速挿入タン要素をさらに備える、請求項1記載の迅速挿入靴。
【請求項１６】
より可撓性の高いヒール材料の圧潰を誘導するように構成された材料補強材をさらに備える、請求項1記載の迅速挿入靴。
【請求項１７】
前記ベースが、アウトソール、ミッドソール、インソール、又はウェッジのうちの1つ以上を備える、請求項1記載の迅速挿入靴。
【請求項１８】
迅速挿入靴であって：
第2のパドルに結合された第1のパドルを含むヒールピース；
第1のアンカー及び第2のアンカーであって、各々が該靴のフットベッドの下に配置される、前記第1のアンカー及び第2のアンカー；
該靴のフットベッドの下から延在し、かつ該第1のアンカーと該第1のパドルとの間に延在する第1の変形可能な要素；及び
該靴のフットベッドの下から延在し、かつ該第2のアンカーと該第2のパドルとの間に延在する第2の変形可能な要素、を含み、
該靴が、圧潰形態及び非圧潰形態を含み；かつ
該非圧潰形態では、該第1の変形可能な要素及び該第2の変形可能な要素の少なくとも１つが、部分的に圧縮された状態にある、
前記迅速挿入靴。
【請求項１９】
前記第1の変形可能な要素及び前記第2の変形可能な要素の少なくとも１つが、前記靴のトップラインの内側への折れ曲がりを防止する、請求項18記載の迅速挿入靴。
【請求項２０】
前記ヒールピースに配置される開口部をさらに含み、該開口部と前記第1の変形可能な要素の拡大部分との間の係合が、前記第1のパドルの第1の方向への回転を可能にし、かつ該第1のパドルの第2の方向への回転を防止する、該請求項18記載の迅速挿入靴。
【国際調査報告】
2019514641.tif 000032
2019514641.tif 000033
2019514641.tif 000034